(57)【特許請求の範囲】
【請求項１】
少なくとも２台の携帯電話と、画像形成装置を含み、
前記画像形成装置は、
認証を行うための認証情報と印刷用データを記憶する記憶部と、
前記印刷用データに基づき印刷を行うエンジン部と、
使用者を識別するための識別情報を取得する取得部と、
前記記憶部の認証情報と前記取得部で取得された識別情報を比較し、使用権限を有するか否かの認証処理を行う認証部と、を含み、
前記携帯電話のうち、代行印刷の依頼元携帯電話は、前記記憶部に登録されている前記印刷用データであって、代行印刷する前記印刷用データを示す代行依頼データと、前記依頼元携帯電話の識別情報を、前記携帯電話に送信し、又、前記印刷用データのデータ名と、代行印刷に関する設定入力を受け付け、前記代行依頼データとして、前記データ名と、代行印刷に関する設定入力内容を前記携帯電話に送信し、
前記代行依頼データを受信した代行者携帯電話は、前記代行依頼データと、前記依頼元携帯電話の識別情報と、前記代行者携帯電話の識別情報を前記取得部に送信し、
前記画像形成装置は、前記代行依頼データで示された印刷用データが前記記憶部に存在し、前記取得部で受信した前記依頼元携帯電話の識別情報と、前記代行者携帯電話の識別情報と、認証情報を比較し、いずれも使用権限を有すると認証できたとき、前記代行依頼データで示された印刷用データに基づき印刷を行うことを特徴とする画像形成システム。
【請求項２】
前記代行者携帯電話は、前記代行依頼データと、前記依頼元携帯電話の識別情報を他の携帯電話に転送し、
転送を受けた前記他の携帯電話は、前記代行者携帯電話として、前記代行依頼データと前記依頼元携帯電話の識別情報と自機の識別情報を前記取得部に送信することを特徴とする請求項１記載の画像形成システム。
【請求項３】
前記代行者携帯電話は、前記代行依頼データの内容を変更する入力を受け付け、変更後の前記代行依頼データを前記取得部に送信することを特徴とする請求項１又は２に記載の画像形成システム。
【請求項４】
前記依頼元携帯電話は、前記印刷用データのデータ名、代行印刷に関する設定内容、代行取得者を示すデータのうち、いずれか１つ、又は、複数について、前記代行者携帯電話で設定変更を行えないように設定値をロックする設定入力を受け付け、
前記代行者携帯電話は、ロックされた設定値を変更する入力を受け付けないことを特徴とする請求項３に記載の画像形成システム。
【請求項５】
前記画像形成装置は、データの送受信を行うための通信部を有し、代行印刷を完了したとき、前記通信部は、前記依頼元携帯電話に向けて、代行印刷完了通知を送信することを特徴とする請求項１乃至４の何れか１後に記載の画像形成システム。
【請求項６】
携帯電話が代行印刷の依頼元携帯電話となるとき、画像形成装置の記憶部に記憶された印刷用データのうち、代行印刷する前記印刷用データを示す代行依頼データと、前記依頼元携帯電話の識別情報を、前記依頼元携帯電話となる携帯電話に、代行者携帯電話となる携帯電話に向けて送信させるとともに、代行印刷の前記依頼元携帯電話に、前記印刷用データのデータ名と、代行印刷に関する設定入力を受け付けさせ、前記代行依頼データとして、前記データ名と、代行印刷に関する設定入力内容を前記代行者携帯電話に向けて送信させ、
携帯電話が代行依頼データを受信して代行印刷依頼を受けた代行者携帯電話となったとき、前記代行者携帯電話に、前記代行依頼データと、前記依頼元携帯電話の識別情報と、自機の識別情報を画像形成装置に向けて送信させることを特徴とするソフトウェア。
【発明の詳細な説明】
【技術分野】
【０００１】
本発明は、携帯電話を用いて、代行印刷を行う画像形成システムに関する。又、依頼された者の携帯電話と通信して代行印刷を行う画像形成装置に関する。又、携帯電話のソフトウェアに関する。
【背景技術】
【０００２】
画像形成装置には、画像データを蓄えておけるものがある。例えば、画像形成装置内には、ＨＤＤ（Hard Disk Drive）が設けられる。そして、画像読取部の読み取りにより得られた画像データは、ＨＤＤ内に仮想的に設けられたボックスと呼ばれる領域に記憶される。ボックス内に画像データを蓄えておくことで、任意の時点でボックス内の画像データを呼び出して、印刷やデータ送信を行うことができる（ボックス機能）。ここで、使用者は、外出している場合や、手が離せない場合など、画像形成装置に蓄えられた画像データを、自分の代わりに印刷して欲しいと望む場合がある（代行印刷）。
【０００３】
このような、代行印刷に関する発明が特許文献１に記載されている。具体的に、特許文献１には、画像データを記憶する記憶部と、印刷物を出力する印刷部と、印刷物の取得を代行する代行者情報を記憶する代行者記憶部と、端末装置と通信する通信部と、制御部とを備え、制御部は、端末装置から記憶部に記憶されている画像データに対する取得代行の印刷指示通知を受信すると、印刷指示通知に臨時代行者情報が含まれていれば、臨時代行者が印刷物の取得者に指定されたと認識して、取得者の端末装置に通信部を通じて印刷物の取得依頼通知を送信し、印刷指示通知に臨時代行者情報が含まれておらず、かつ、代行者記憶部に代行者情報が記憶されていれば、代行者情報の示す代行者が印刷物の取得者に指定されたと認識して取得者の端末装置に通信部を通じて取得依頼通知を送信し、認識した取得者から所定の出力指示を受けた場合に、印刷部に前記印刷指示通知に基づいた印刷を実行させる印刷装置が記載されている。この構成により、取得代行の印刷指示を行うとその印刷物の取得依頼が所定の代行者に自動的に通知し、取得代行を依頼する連絡を別途行うなどの手間が掛からないようにしようとする（特許文献１：請求項１、段落［００１０］等参照）。
【先行技術文献】
【特許文献】
【０００４】
【特許文献１】特開２００９−２７７１８８
【発明の概要】
【発明が解決しようとする課題】
【０００５】
近年、画像形成装置からの機密情報や個人情報の漏洩を防ぐという観点や、各使用者の画像形成装置の使用実態を把握するといった観点から、画像形成装置で、使用者の認証を行うことがある。画像形成装置には予め使用権限を有する者が登録される。例えば、認証を受けた者だけが画像形成装置でコピーやスキャンを行える。
【０００６】
又、使用者の認証を行う画像形成装置では、使用者ごとにボックスを設けるようにすることがある。そして、機密漏洩やボックスに蓄えられたデータの印刷物の第三者の持ち去りを防ぐ観点から、ボックスにアクセスできる（ボックスに蓄えられたデータを操作できる）権限を限定する場合がある（例えば、ボックスの作成者や作成者が認めた者）。このように、機密漏洩や悪用がないように、画像形成装置に蓄えられたデータの取り扱いには注意が払われる。
【０００７】
ここで、特許文献１記載の発明をみると、代行取得の依頼や、選択や、通知を電子メールで行っている。そして、特許文献１の図５や図６に見られるように、代行印刷の対象とするデータ名や、代行取得者のメールアドレスなど、代行印刷での指示内容が電子メールに直接記載されている。又、特許文献１記載の発明では、代行取得者の認証をメールアドレスで行っている（図７、段落［００７６］等参照）。そのため、偽造メールや、なりすましにより、容易に画像形成装置に蓄積されたデータを代行印刷できてしまうという問題がある。又、特許文献１記載の発明では、印刷物の取得依頼通知があれば、容易にどのような印刷物でも取得できてしまう可能性がある。従って、特許文献１記載の発明では、機密情報の漏洩が生じ得る（生じやすい）という問題がある。
【０００８】
又、特許文献１記載の発明では、依頼者は、代行取得を依頼する印刷物の形式、画質、用紙サイズなどの各種の設定が困難である。電子メールに指示を記載することも考えられるが、設定項目が多いほど電子メールへの記載量が増える。又、電子メールでの記載における文法習得が必要となる。そのため、煩わしく、現実的ではないという問題がある。
【０００９】
本発明は、上記従来技術の問題点に鑑み、なりすまし、偽造メール、パスワード漏洩やこれらに起因した機密漏洩といった問題が生ずることを防ぎ、情報セキュリティー上の安全性が高い代行印刷を実現することを課題とする。
【課題を解決するための手段】
【００１０】
上記課題解決のため、請求項１に係る画像形成システムは、少なくとも２台の携帯電話と、画像形成装置を含み、前記画像形成装置は、認証を行うための認証情報と印刷用データを記憶する記憶部と、前記印刷用データに基づき印刷を行うエンジン部と、使用者を識別するための識別情報を取得する取得部と、前記記憶部の認証情報と前記取得部で取得された識別情報を比較し、使用権限を有するか否かの認証処理を行う認証部と、を含み、前記携帯電話のうち、代行印刷の依頼元携帯電話は、前記記憶部に登録されている前記印刷用データであって、代行印刷する前記印刷用データを示す代行依頼データと、前記依頼元携帯電話の識別情報を、前記携帯電話に送信し、又、前記印刷用データのデータ名と、代行印刷に関する設定入力を受け付け、前記代行依頼データとして、前記データ名と、代行印刷に関する設定入力内容を前記携帯電話に送信し、前記代行依頼データを受信した代行者携帯電話は、前記代行依頼データと、前記依頼元携帯電話の識別情報と、前記代行者携帯電話の識別情報を前記取得部に送信し、前記画像形成装置は、前記代行依頼データで示された印刷用データが前記記憶部に存在し、前記取得部で受信した前記依頼元携帯電話の識別情報と、前記代行者携帯電話の識別情報と、認証情報を比較し、いずれも使用権限を有すると認証できたとき、前記代行依頼データで示された印刷用データに基づき印刷を行うこととした。
【００１１】
この構成によれば、代行依頼データで示された印刷用データが記憶部に存在し、取得部で受信した依頼元携帯電話の識別情報と、代行者携帯電話の識別情報と、認証情報を比較し、いずれも使用権限を有すると認証できたとき、代行依頼データで示された印刷用データに基づき印刷を行う。これにより、携帯電話を用いて、ＩＣカードによる認証のように依頼元（依頼者）、依頼先（代行者）が、画像形成装置の使用権限を有し、印刷用データにアクセス可能かの認証を行うことができる。従って、パスワードを入力せずに済み、なりすましや、パスワード流出に起因する機密漏洩を防ぐことができる。又、依頼元携帯電話は、代行依頼データとして、データ名と、印刷における設定内容を送信する。これにより、代行者が、使用者の認証後、ボックスの呼出や、印刷用データの指定や、印刷形式など、代行印刷の設定を特段行わずとも、直ちに印刷を開始することできる。従って、代行者は、容易に代行印刷実行することができる。又、代行印刷の依頼者（依頼元携帯電話の使用者）の意志を反映させた代行印刷が行われる。
【００１２】
例えば、依頼元携帯電話が代行者携帯電話に代行依頼データを誤送信しても、画像形成装置で代行者携帯電話の認証情報が登録されていなければ、代行印刷できず、誤送信に基づく機密漏洩も生じない。このように、なりすまし、偽造メール、パスワード漏洩、誤送信などに起因した機密漏洩を防ぐことができ、情報セキュリティー上の安全性が高い代行印刷を実現することができる。
【００１３】
又、請求項２に係る発明は、請求項１の発明において、前記代行者携帯電話は、前記代行依頼データと前記依頼元携帯電話の識別情報を他の携帯電話に転送し、転送を受けた前記他の携帯電話は、前記代行者携帯電話として、前記代行依頼データと前記依頼元携帯電話の識別情報と自機の識別情報を前記取得部に送信することとした。
【００１４】
この構成によれば、代行者携帯電話は、代行依頼データと、依頼元携帯電話の識別情報を他の携帯電話に転送し、転送を受けた携帯電話は、代行者携帯電話として、代行依頼データと、依頼元携帯電話の識別情報と、自機の識別情報を取得部に送信する。これにより、代行印刷を依頼された者が忙しく手が離せなければ、代行印刷を別の人に頼むことができる。従って、再度、代行印刷の依頼（送信）を行わなくても、代行印刷の依頼先を次々に別の人に移してゆくといった使い方ができ、代行印刷の利便性を高めることができる。
【００１７】
又、請求項３に係る発明は、請求項１又は２の発明において、前記代行者携帯電話は、前記代行依頼データの内容を変更する入力を受け付け、変更後の前記代行依頼データを前記取得部に送信することとした。
【００１８】
この構成によれば、代行者携帯電話は、変更後の代行依頼データを取得部に送信する。これにより、代行印刷の開始前の設定修正を、代行者携帯電話上で行うことができる。例えば、依頼元携帯電話が修正後の内容を再度、代行者携帯電話に送信するといった手間を無くすことができ、利便性が高くなる。
【００１９】
又、請求項４に係る発明は、請求項３の発明において、前記依頼元携帯電話は、前記印刷用データのデータ名、代行印刷に関する設定内容、代行取得者を示すデータのうち、いずれか１つ、又は、複数について、前記代行者携帯電話で設定変更を行えないように設定値をロックする設定入力を受け付け、前記代行者携帯電話は、ロックされた設定値を変更する入力を受け付けないこととした。
【００２０】
この構成によれば、代行者携帯電話は、ロックされた設定値を変更する入力を受け付けない。これにより、データ名、印刷における設定を示すデータ、代行取得者を示すデータについて、依頼元携帯電話の使用者（依頼元）が所望する設定のまま、代行印刷が実行されるようにすることができる。
【００２１】
又、請求項５に係る発明は、請求項１乃至４の発明において、前記画像形成装置は、データの送受信を行うための通信部を有し、代行印刷を完了したとき、前記通信部から、前記依頼元携帯電話に向けて、代行印刷完了通知を送信することとした。
【００２２】
この構成によれば、画像形成装置は、代行印刷を完了したとき、通信部は、依頼元携帯電話に向けて、代行印刷完了通知を送信する。これにより、依頼元携帯電話の使用者（依頼元）は、代行印刷が完了したことを知ることができる。
【００２３】
又、画像形成装置は、認証を行うための認証情報と印刷用データを記憶する記憶部と、前記印刷用データに基づき印刷を行うエンジン部と、使用者を識別するための識別情報を取得する取得部と、前記記憶部の認証情報と前記取得部で取得された識別情報を比較し、使用権限を有するか否かの認証処理を行う認証部と、を含み、前記取得部が、携帯電話と通信を行い、前記記憶部に記憶される印刷用データのうち、代行印刷する印刷用データを指し示すデータを含む代行依頼データと、依頼元と依頼先の前記携帯電話の識別情報を取得したとき、前記エンジン部は、前記代行依頼データで示された印刷用データが前記記憶部に存在し、前記取得部で受信した依頼元と依頼先の識別情報と、認証情報を比較し、いずれも使用権限を有すると認証できたとき、前記代行依頼データで示された印刷用データに基づき、印刷を行うようにしてもよい。
【００２４】
この構成は、請求項１の画像形成システムのうちの画像形成装置に着目している。
【００２５】
又、請求項６に係るソフトウェアは、携帯電話が代行印刷の依頼元携帯電話となるとき、画像形成装置の記憶部に記憶された印刷用データのうち、代行印刷する前記印刷用データを示す代行依頼データと、前記依頼元携帯電話の識別情報を、前記依頼元携帯電話となる携帯電話に、代行者携帯電話となる携帯電話に向けて送信させるとともに、代行印刷の前記依頼元携帯電話に、前記印刷用データのデータ名と、代行印刷に関する設定入力を受け付けさせ、前記代行依頼データとして、前記データ名と、代行印刷に関する設定入力内容を前記代行者携帯電話に向けて送信させ、携帯電話が代行依頼データを受信して代行印刷依頼を受けた代行者携帯電話となったとき、前記代行者携帯電話に、前記代行依頼データと、前記依頼元携帯電話の識別情報と、自機の識別情報を画像形成装置に向けて送信させることとした。
【００２６】
この構成は、携帯電話を依頼元携帯電話、代行者携帯電話として機能させるソフトウェア（アプリケーション）であり、携帯電話に搭載することにより、請求項１と同様の効果を得ることができる。
【発明の効果】
【００２７】
上述したように、本発明によれば、代行印刷を行ううえで、情報セキュリティー上の安全性が高い画像形成装置等を提供することができる。
【図面の簡単な説明】
【００２８】
【図１】実施形態に係る画像形成システムの一例を示す説明図である。
【図２】実施形態に係る複合機の模型的正面断面図である。
【図３】実施形態に係る複合機のハードウェア構成の一例を示すブロック図である。
【図４】実施形態に係る携帯電話のハードウェア構成の一例を示すブロック図である。
【図５】液晶表示部に表示されるユーザー登録変更画面の一例を示す説明図である。
【図６】実施形態に係るボックス選択画面の一例を示す説明図である。
【図７】実施形態に係る印刷用データ選択画面の一例を示す説明図である。
【図８】実施形態に係る代行印刷依頼の流れの一例を示すフローチャートである。
【図９】実施形態に係る依頼元携帯電話での代行印刷依頼の設定の一例を示す説明図である。
【図１０】実施形態に係る代行印刷実行の流れの一例を示すフローチャートである。
【図１１】実施形態に係る代行者携帯電話での設定の一例を示す説明図である。
【発明を実施するための形態】
【００２９】
以下、本発明を、図１〜図１１を用いて説明する。本発明に係る画像形成システム１００は、携帯電話と画像形成装置を含む。そして、画像形成装置として、複合機３を例に挙げ説明を行う。但し、本実施の形態に記載されている構成、配置等の各要素は、発明の範囲を限定するものではなく単なる説明例にすぎない。
【００３０】
まず、図１を用いて、本発明の実施形態に係る画像形成システム１００の概要を説明する。図１は本発明の実施形態に係る画像形成システム１００の一例を示す説明図である。
【００３１】
（画像形成システム１００の概要）
まず、本実施形態の画像形成システム１００では、印刷の代行がなされる。そして、印刷の代行を依頼する発信装置として携帯電話が用いられる。以下では、説明の便宜上、代行印刷を依頼する携帯電話を「依頼元携帯電話１」と称する。
【００３２】
依頼元携帯電話１は、代行印刷依頼を電子メールにて、依頼先に送信する。そして、電子メールの送信先の携帯電話が、代行印刷依頼の電子メールを受信する。この代行印刷依頼の電子メールを受信した携帯電話の所有者（代行者）が、依頼者の代わりに、複合機３に蓄積された画像データ等に基づき印刷を行う。ここで、説明の便宜上、以下では、依頼元から代行印刷依頼の電子メールを受信した携帯電話を「代行者携帯電話２」と称する。
【００３３】
そして、複合機３には、ＩＣカードを読み取るリーダーライター４（取得部に相当）が設けられる。リーダーライター４は、メモリや通信処理用ＣＰＵや通信用アンテナを含む。一方、代行者携帯電話２は、メモリや通信処理用ＣＰＵを含むＩＣチップや通信用アンテナを含む。言い換えると、代行者携帯電話２は、ＩＣカード機能付きの携帯電話である。そして、代行者携帯電話２がリーダーライター４に翳されると、代行印刷に関するデータのやり取り（通信）が、代行者携帯電話２とリーダーライター４間で行われる。尚、依頼元携帯電話１は、他人から代行印刷を依頼されると代行者携帯電話２となるので、依頼元携帯電話１もＩＣチップや無線通信用のアンテナを含む。
【００３４】
（画像形成装置の構成）
次に、図２を用いて、本発明の実施形態に係る複合機３の一例を説明する。図２は、本発明の実施形態に係る複合機３の模型的正面断面図である。
【００３５】
図２に示すように、最上部には原稿を抑える原稿カバー３ａが設けられ、正面前方に操作パネル５が設けられる。又、複合機３本体内には、画像読取部５Ｂ、給紙部６Ａ、搬送路６Ｂ、画像形成部７Ａ、定着部７Ｂ等が設けられる。原稿カバー３ａは、複写時、画像読取部５Ｂの上面に設けられたコンタクトガラス５０（原稿台）に載置された原稿を抑える。そのため、原稿カバー３ａは、図１の紙面奥側に支点を有し、上下方向に開閉可能である。
【００３６】
そして、複合機３の正面前方に、操作パネル５が設けられる。操作パネル５は、複合機３の設定や、動作指示を与えるためのメニューやキーを表示する液晶表示部５１を有する。又、液晶表示部５１は、複合機３の状態（印刷中や、待機中や、エラー発生）を表示する。又、タッチパネル部５２が、液晶表示部５１の上面に設けられる。使用者が液晶表示部５１に表示されたキーを押すと、タッチパネル部５２が押された座標を検知する。座標検知に伴う押されたキーの特定により、複合機３の設定や動作指示が行われる。又、操作パネル５には、数字入力用のテンキー部５３や、各種設定後、コピー等の実行を指示するスタートキー５４等も設けられる。
【００３７】
画像読取部５Ｂは、原稿を読み取り、原稿の画像データを生成する。画像読取部５Ｂ内には、原稿に光を照射するランプ、反射光をレンズに導くミラー、イメージセンサーに反射光を入射させるレンズ、イメージセンサー等（不図示）が配される。読み取りの際、ランプ、ミラーは移動機構により水平方向に移動させられる。そして、イメージセンサーは、コンタクトガラス５０に載置された原稿の反射光を、画像濃度（反射強度）に応じたアナログの電気信号に変換する。そして、画像読取部５Ｂは、量子化を行い、原稿の画像データを出力する。複合機３は、読取られた画像データに基づき印刷可能であり（コピー機能）、又、画像データを蓄えることもできる（画像読取部５Ｂ、ボックス機能）。
【００３８】
給紙部６Ａは、記録媒体としての複数の用紙（例えば、コピー用紙、再生紙、ＯＨＰシート等の各種用紙）を収容し、印刷時、１枚ずつ搬送路６Ｂに送り込む。給紙部６Ａは、用紙が積載される複数のカセット６１（本実施形態では、６１ａ、６１ｂの２台）が設けられ、各カセット６１に、搬送路６Ｂに用紙を送り出すため回転駆動する給紙ローラー６２（６２ａ、６２ｂの計２本）が、備えられる。例えば、印刷時、いずれかの給紙ローラー６２が回転駆動し、画像形成に供する用紙が１枚ずつ搬送路６Ｂに送り出される。
【００３９】
搬送路６Ｂは、装置内で用紙を搬送する通路である。そして、搬送路６Ｂに、用紙の案内のためのガイド板６３や、用紙搬送時に回転駆動する複数の搬送ローラー対６４（図１では、上方から、６４ａ、６４ｂの計２本を図示）や、搬送される用紙を画像形成部７Ａの手前で待機させ、トナー像形成のタイミングを合わせ用紙を送り出すレジストローラー対６５等が設けられる。
【００４０】
画像形成部７Ａは、画像データに基づきトナー像を形成し、搬送される用紙にトナー像を転写する。そこで、画像形成部７Ａの各構成及びトナー像形成プロセスを説明すると、画像形成部７Ａの略中心に配され、矢印方向に回転駆動可能に支持された感光体ドラム７１を、帯電装置７２が、所定の電位で帯電させる。露光装置７３は、感光体ドラム７１に、レーザー光を画像データに基づき点灯、消灯させつつ照射して、画像データに対応した静電潜像を形成する。現像装置７４はトナーを供給して静電潜像をトナー像として現像する。転写ローラー７５は感光体ドラム７１に圧接してニップを形成し、このニップに、シートとトナー像の進入時に、トナーの帯電極性と逆極性の電圧が転写ローラー７５に印加され、トナー像は、用紙に転写される。清掃装置７６は、転写後に感光体ドラム７１に残った残トナー等を清掃して、次のトナー像形成に備える。
【００４１】
定着部７Ｂは、用紙に転写されたトナー像を定着させる。本実施形態における定着部７Ｂは、主として発熱体を内蔵する加熱ローラー７７と加圧ローラー７８で構成される。加熱ローラー７７と加圧ローラー７８は圧接しニップを形成する。そして、用紙が、このニップを通過すると、トナーが溶融・加熱され、トナー像が用紙に定着する。トナー定着後の用紙は、排出トレイ６６が受け止める。このように、コピー機能、プリンタ機能の利用時、画像形成（印刷）が行われる。
【００４２】
（複合機３本体のハードウェア構成）
次に、図３に基づき、本発明の実施形態に係る複合機３のハードウェア構成の一例を説明する。図３は、本発明の実施形態に係る複合機３のハードウェア構成の一例を示すブロック図である。
【００４３】
まず、図３に示すように、本実施形態の複合機３には、複合機３の制御を全体的に司る制御部８（認証部に相当）が設けられる。例えば、制御部８は、全体統制のほか、外部との通信制御や、画像処理や、エラーの発生の認識を行う。又、本発明に関し、制御部８は、リーダーライター４で読み取られたデータに基づき、複合機３の使用権限を有する者であるかの認証処理を行う。
【００４４】
例えば、制御部８は、ＣＰＵ８１や、画像処理部８２や、記憶部９や、各種チップ、素子等を実装する基板である。ＣＰＵ８１は、記憶部９に記憶されるプログラムやデータに基づき、演算などの各種処理を行う装置である。画像処理部８２は、例えば、画像処理を行う専用設計回路としてのＡＳＩＣや画像処理用メモリを含む。
【００４５】
そして、制御部８には、ＲＯＭ９１、ＲＡＭ９２、ＨＤＤ９３といった記憶装置を含む記憶部９が接続される。ＲＯＭ９１は、制御用プログラム、制御用データ、代行依頼データなどを、不揮発的に記憶する（例えば、ＥＥＰＲＯＭやフラッシュＲＯＭ）。ＲＡＭ９２は、ＣＰＵ８１に利用させるため、ＲＯＭ９１やＨＤＤ９３に記憶される制御用プログラム、制御用データ、代行依頼データ、画像データ等を揮発的、一時的に記憶する。ＨＤＤ９３は、制御用プログラムや、制御用データ、代行依頼データ、画像データなどのデータを不揮発的に記憶する。
【００４６】
又、本発明に関して、ＨＤＤ９３は、代行印刷の対象となるデータ（画像データや画像データの属性データなど、以下、便宜上、「印刷用データ」と称する）を記憶する。ＨＤＤ９３は、印刷用データとして、画像読取部５Ｂで読み取られた画像データや、外部のコンピューター２００から複合機３に送信された画像データを蓄積する。そして、蓄積された画像データを呼び出して印刷や送信に供することができる（ボックス機能。詳細は後述）。又、ＨＤＤ９３は、使用者の認証を行うための認証情報を記憶できる。
【００４７】
又、制御部８は、例えば、操作パネル５、画像読取部５Ｂ等と通信可能に接続される。例えば、制御部８は、操作パネル５になされた入力を認識し、使用者の設定にあわせてコピーや画像データの送信等が行われるように、画像読取部５Ｂの制御を行う。
【００４８】
又、制御部８の複合機３は、印刷に関わるエンジン部６０（給紙部６Ａ、搬送路６Ｂ、画像形成部７Ａ、定着部７Ｂ）の動作を制御する。尚、印刷に関する処理を制御するエンジン制御部を設けて、制御部８は、エンジン制御部に指示を与え、各種回転体を回転させるモータ等のＯＮ／ＯＦＦや、トナー像形成、転写、定着などに関わる実際の印刷制御をエンジン制御部が行うようにしてもよい。
【００４９】
又、制御部８は、各種コネクタ、ソケット、通信用回路等を備えた通信部８３と接続される。通信部８３は、ネットワークや公衆回線等により複数の外部のコンピューター２００（例えば、パーソナルコンピューター、図３では、便宜上１つのみ図示）と通信可能に接続される。例えば、画像読取部５Ｂで得られた画像データを外部のコンピューター２００に送信することができる（スキャナ機能）。又、外部のコンピュータ２００から送信され、複合機３に入力される画像データや代行依頼データに基づき印刷等を行うこともできる（プリンタ機能）。又、通信部８３にＦＡＸ通信ボードを含ませ、外部のＦＡＸ装置３００と通信可能とすることもできる（ＦＡＸ、インターネットＦＡＸ機能）。又、通信部８３は、携帯電話に向けて電子メールを送信することもできる。
【００５０】
又、制御部８は、リーダーライター４と通信可能に接続される。制御部８は、リーダーライター４が読み取ったデータを認識し、認証処理や代行印刷に関わる処理を行う。
【００５１】
（携帯電話のハードウェア構成）
次に、図４を用いて、本発明の実施形態に係る携帯電話の一例を説明する。図４は、本発明の実施形態に係る携帯電話のハードウェア構成の一例を示すブロック図である。
【００５２】
まず、依頼元携帯電話１は、制御ユニット１０、ＲＯＭやＲＡＭを含む記憶部１１、操作部１２、撮像部１３（カメラ）、表示部１４、電話通信部１５、通信Ｉ／Ｆ部１６などを含む。
【００５３】
記憶部１１は、携帯電話用の動作プログラムやソフトウェアを記憶する。制御ユニット１０は、記憶部１１内のデータ、プログラムを利用して依頼元携帯電話１の動作を制御する。操作部１２は、依頼元携帯電話１に設けられた数字や文字入力用のキーである。制御ユニット１０は、操作部１２のうち、いかなるキーが押されたかを認識する。撮像部１３は、イメージセンサー（撮像素子）やレンズ等を有する小型カメラである。
【００５４】
表示部１４は、例えば、液晶表示パネルや有機ＥＬパネルからなり、操作案内メッセージや、撮像部１３によって撮影された被写体画像や、代行印刷に関する設定画面等を表示する。電話通信部１５は、携帯電話網への接続や、携帯電話網への音声データやパケットの送受信に必要な各種処理を実行する。スピーカー部１７Ｓは、電話通信部１５が受信した音声データに基づき、会話相手の声を鳴らす。マイク部１７Ｍは、依頼元携帯電話１の所持者が発した音声を音声データ化するマイクや回路を含む。
【００５５】
通信Ｉ／Ｆ部１６は、依頼元携帯電話１にＩＣカード機能を持たせるためのインターフェイスである。そのため、通信Ｉ／Ｆ部１６は、ＩＣチップやアンテナを含む。そして、通信Ｉ／Ｆ部１６を複合機３のリーダーライター４に翳すことで、依頼元携帯電話１の所持者は、認証を受けることができる。又、依頼元携帯電話１の通信Ｉ／Ｆ部１６を、代行者携帯電話２の通信Ｉ／Ｆ部２６に翳すことで、各通信Ｉ／Ｆ部間で通信を行うことも可能である。
【００５６】
次に、代行者携帯電話２を説明する。依頼元携帯電話１と同様、代行者携帯電話２も、制御ユニット２０、ＲＯＭやＲＡＭを含む記憶部２１、操作部２２、撮像部２３（カメラ）、表示部２４、電話通信部２５、通信Ｉ／Ｆ部２６などを含む。
【００５７】
撮像部２３、制御ユニット２０、記憶部２１、操作部２２、表示部２４、電話通信部２５、スピーカー部２７Ｓ、マイク部２７Ｍは、依頼元携帯電話１のものと同様でよく、説明を援用するものとして説明を割愛する。
【００５８】
通信Ｉ／Ｆ部２６は、代行者携帯電話２にＩＣカード機能を持たせるためのインターフェイスである。そのため、通信Ｉ／Ｆ部２６も、ＩＣチップやアンテナを含む。そして、通信Ｉ／Ｆ部２６を複合機３のリーダーライター４に翳すことで、代行者携帯電話２の所持者は、認証を受けることができる。又、依頼元携帯電話１の通信Ｉ／Ｆ部２６を、代行者携帯電話２の通信Ｉ／Ｆ部１６に翳すことで、各通信Ｉ／Ｆ部間で通信を行うことも可能である。
【００５９】
（使用者の登録）
次に、図５を用いて、本発明の実施形態に係る使用者登録の一例を説明する。図５は、液晶表示部５１に表示されるユーザー登録変更画面Ｓ１の一例を示す説明図である。
【００６０】
複合機３の利用権限を有するか否かの認証を行うため、複合機３では、利用権限を有する使用者の登録が予めなされる。この使用者登録用のユーザー登録変更画面Ｓ１は、例えば、複合機３の管理者など、権限を有する者だけが開くことができる。
【００６１】
そして、管理者は、新規キーＫ１を押下すると、複合機３の使用者を新規に登録することができる。例えば、登録内容（項目）としては、「ユーザー名」、「ユーザー（カナ）」、「ログインユーザー名」、「ログインパスワード」、「アクセスレベル」、「所属部門」、「メールアドレス」、「ネットワークアドレス」（例えば、ＩＰアドレスやネットワークパス）等がある。尚、更に多くの項目を登録可能としても良い。尚、「メールアドレス」、「ネットワークアドレス」の項目は、本発明での代行印刷の終了通知における通知先アドレスとなる。尚、登録されていない項目については、その内容が表示されない（例えば、図５では、「ユーザー（カナ）」の項目）。
【００６２】
そして、各項目に関し、変更キーＫ２（Ｋ２ａ〜Ｋ２ｈ）が設けられる。例えば、いずれかの変更キーＫ２が押されると、ソフトキーボード（不図示）が表示され、数字、文字等の入力を行い、各項目を設定することができる。そして、登録キーＫ３が押されると、操作パネル５になされた設定内容が、記憶部９に記憶される。例えば、使用者の新規登録であれば、記憶部９は、新たな使用者の情報を記憶する。又、使用者の情報の変更であれば、記憶部９は、変更部分を更新する。このように、複合機３に使用者の認証を行うための情報（認証情報）が登録、記憶される。
【００６３】
（複合機３における認証）
次に、本発明の実施形態に係る複合機３での使用者の認証を説明する。まず、制御部８は、基本的に、複合機３を使用不可状態（ログアウト状態）とする。又、操作パネル５は、ログアウト状態では、複写等の各種機能の設定やジョブ開始の指示を受け付けない。例えば、使用不可状態では、操作パネル５にコピーやＦＡＸ送信を行う旨の操作・入力が行われても、操作パネル５は無視し、制御部８は、その動作指示入力を無視する。
【００６４】
一方、登録された使用者（使用権限を有する者）であるとの認証が得られると、ログイン状態となり、操作パネル５は、複写等の各種機能の設定やジョブ開始の指示を受け付け、制御部８は、複合機３を使用可能な状態とする。
【００６５】
本実施形態の複合機３では、使用者は、ＩＣカード機能を搭載した携帯電話をリーダーライター４に読み取らせ、認証を受けることができる。ＩＣカード機能付きの携帯電話（依頼元携帯電話１や代行者携帯電話２）は、使用者を特定するための情報（識別情報）が、予め記憶される。例えば、携帯電話をリーダーライター４に翳し、リーダーライター４から該当使用者の認証情報を発信させ、携帯電話の記憶部１１や記憶部２１は、受信した認証情報を、識別情報として記憶する。各携帯電話は、自機の使用者に関する認証情報と同内容のデータ（例えば、ユーザー名、ＩＤ、所属部署、使用権限等）を識別情報として記憶する。尚、携帯電話ではなく、ＩＣカードを用いた認証も行うことができる。
【００６６】
リーダーライター４は、携帯電話から識別情報を取得する。リーダーライター４は、取得した識別情報を制御部８に送信する。制御部８は、使用者登録により記憶部９に予め記憶された使用者の認証情報と、リーダーライター４が取得した識別情報を比較し、一致するか確認する。一致すれば、制御部８は、複合機３を使用させても良いと認証、判断する。本実施形態の複合機３では、制御部８が、認証を行う認証部として機能する。尚、認証用専用回路を設けてもよいし、例えば、操作パネル５内のコントローラやメモリなどを認証部として動作させてもよい。
【００６７】
ログアウトするには、操作パネル５のログアウトキー５５（図２参照）を押せばよい。尚、操作パネル５への入力が無くなってから所定時間（例えば、数分）経過したとき、制御部８は複合機３を自動的に、ログアウト状態としてもよい。
【００６８】
（印刷用データの登録、蓄積）
次に、図６、図７に基づき、本発明の実施形態に係る複合機３、画像形成システム１００での印刷用データの登録、蓄積を説明する。図６は、本発明の実施形態に係るボックス選択画面Ｓ２の一例を示す説明図である。図７は、本発明の実施形態に係る印刷用データ選択画面Ｓ３の一例を示す説明図である。
【００６９】
本実施形態の複合機３は、記憶部９を有する。記憶部９のＨＤＤ９３は、印刷や送信に用いるデータであり、画像データや代行依頼データや属性情報などのデータを含む印刷用データを記憶するボックスという記憶領域を有する。ボックスは、ユーザーボックスという形態で、使用者ごとに設けられる。記憶部９は、画像読取部５Ｂで原稿を読み取って得られた画像データや、コンピューター２００から複合機３に送信された画像データを、何れかのユーザーボックス内に記憶させる。又、尚、ボックス登録／編集キーＫ４を押して、新たなユーザーボックスを設けることもできる。
【００７０】
ボックス選択画面Ｓ２には、登録されたユーザーボックスを一覧表示するユーザーボックス一覧表示領域Ｆ１が設けられる。制御部８は、ジョブボックスに蓄積された印刷用データの送信者や、文書数を示すデータを操作パネル５に与える。このデータを受けて、液晶表示部５１は、ユーザーボックス一覧表示領域Ｆ１の表示を行う。
【００７１】
ジョブを実行しようとする使用者は、液晶表示部５１を押し、ユーザーボックスを選択する。例えば、液晶表示部５１は、選択されたユーザーボックスを反転表示させる。そして、ユーザー名を選択した状態で、開くキーＫ５を押し、アクセス権限が認められていれば、制御部８は、印刷用データを選択するための印刷用データ選択画面Ｓ３を液晶表示部５１に表示させる。例えば、ユーザーボックスのアクセス権限を有する者は、ユーザーボックスの作成者（名義人）や、代行印刷の代行者など、作成者に認められた使用者である。印刷用データ選択画面Ｓ３には、蓄えられた印刷用データを一覧表示する印刷用データ一覧表示領域Ｆ２が設けられる（図７）。
【００７２】
そして、印刷用データ選択画面Ｓ３で文書保存キーＫ６を押すと、画像読取部５Ｂなどを用いて、印刷用データを保存することができる。このとき、制御部８は、画像読取部５Ｂでの読み取り完了に伴い、ソフトウェアキーボードを液晶表示部５１に表示させ、印刷用データに名前を付す入力を行えるようにしてもよい。そして、記憶部９は、印刷用データを、データ名と共に記憶する。
【００７３】
又、印刷用データ選択画面Ｓ３で、印刷用データを選択し、削除キーＫ７、印刷キーＫ８、送信キーＫ９を押すことで、印刷用データに対する処理を設定することができる。削除キーＫ７は、押して選択した印刷用データを一覧から削除するときに押される。印刷キーＫ８は、押して選択した印刷用データを印刷するときに押される。送信キーＫ９は、押して選択した印刷用データを送信するときに押される。
【００７４】
（代行印刷依頼の流れ）
次に、図８及び図９に基づき、本発明の実施形態に係る画像形成システム１００での代行印刷依頼の流れを説明する。図８は、本発明の実施形態に係る代行印刷依頼の流れの一例を示すフローチャートである。図９は、本発明の実施形態に係る依頼元携帯電話１での代行印刷依頼の設定の一例を示す説明図である。
【００７５】
まず、図８のスタートは、依頼元携帯電話１の所持者が、代行印刷の依頼をしようとする時点である。代行印刷を依頼しようとする使用者は、依頼元携帯電話１で、代行印刷用のソフトウェア（アプリケーション）を起動させる（ステップ♯１）。このソフトウェア起動に伴い、制御ユニット１０は、代行印刷依頼用画面Ｓ４を依頼元携帯電話１の表示部１４に表示させる（ステップ♯２）。そして、依頼元携帯電話１の所持者は、代行印刷依頼の設定を行う（ステップ♯３）。
【００７６】
そこで、図９を用いて、代行印刷依頼の設定を説明する。代行印刷依頼用画面Ｓ４には、代行印刷に関する複数の設定項目の設定欄が表示される。具体的に、代行印刷依頼用画面Ｓ４には、印刷用データ名設定欄Ｌ１や、部数設定欄Ｌ２や、用紙サイズ設定欄Ｌ３や、依頼先設定欄Ｌ４や、認証の要否を設定するための認証設定欄Ｌ５が設けられる
【００７７】
依頼元携帯電話１では、表示部の下方に、数字や文字の入力や、設定操作を行うため、複数のキーを、操作部１２として有する。例えば、使用者は、矢印が付された方向指示キー１２１を操作したり、方向指示キー１２１内の決定キー１２２を押して、所望する設定欄を選択する。そして、設定欄で各キーを押し、文字や数字の入力を行って設定を行う。これにより、依頼者は、代行印刷に関して設定を行える。
【００７８】
そして、依頼者は、代行印刷の設定を行い（ステップ♯３）、代行者携帯電話２に代行印刷の依頼を実行する指示を行う（ステップ♯４）。例えば、制御ユニット１０は、発信キー１２３が押されたことを、代行印刷依頼実行指示と認識する。この指示に伴い、制御ユニット１０は、代行者携帯電話２に送信する依頼用電子メールを生成する（ステップ♯５）。この電子メールには、代行印刷依頼用画面Ｓ４での設定内容を示すデータや、依頼元携帯電話１の識別情報が含まれる。言い換えると、ソフトウェアは、制御ユニット１０に、代行印刷依頼用画面Ｓ４での設定内容を示すデータや依頼元携帯電話１の識別情報を含む依頼用電子メールを生成させる。
【００７９】
そして、制御ユニット１０は、電話通信部１５に、代行者携帯電話２に向けて依頼用電子メールを送信させる（ステップ♯６）。これにより、代行印刷の依頼がなされる（エンド）。即ち、依頼元携帯電話１は、印刷用データのデータ名と、代行印刷に関する設定入力を受け付け、代行依頼データとして、データ名と、代行印刷に関する設定入力内容を代行者携帯電話２に送信する。
【００８０】
（代行印刷の実行の流れ）
次に、図１０、図１１に基づき、本発明の実施形態に係る画像形成システム１００での代行印刷実行の流れを説明する。図１０は、本発明の実施形態に係る代行印刷実行の流れの一例を示すフローチャートである。図１１は、本発明の実施形態に係る代行者携帯電話２での設定の一例を示す説明図である。
【００８１】
まず、図１０のスタートは、代行者携帯電話２の所持者が、依頼を受けた代行印刷を実行しようとする時点である。代行者は、代行者携帯電話２で、代行印刷用のソフトウェア（アプリケーション）を起動させる（ステップ♯１１）。このソフトウェア起動に伴い、制御ユニット２０は、代行者設定画面Ｓ５を代行者携帯電話２の表示部２４に表示させる（ステップ♯１２）。そして、代行者携帯電話２の所持者によって、代行印刷の設定変更の必要性が確認される（ステップ♯１３）。もし、印刷部数など、代行印刷の設定変更が必要であれば（ステップ♯１３のＹｅｓ）、代行者携帯電話２の制御ユニット２０は、操作部２２になされた代行印刷の設定変更を受け付ける（ステップ♯１４）。一方、必要がなければ、ステップ♯１４はスキップされる（ステップ♯１５へ）。
【００８２】
そこで、図１１を用いて、代行印刷の設定を説明する。代行者携帯電話２に表示される代行者設定画面Ｓ５には、代行印刷依頼用画面Ｓ４と同様に、代行印刷に関する複数の情報が表示される。具体的に、代行者設定画面Ｓ５には、例えば、印刷用データ名や、部数や、用紙サイズや、依頼元や、認証の要否が表示される。更に、代行者設定画面Ｓ５では、代行依頼の転送先を設定する転送先設定欄Ｌ６が設けられる。
【００８３】
方向指示キー２２１や、決定キー２２２を用いて、所望する設定欄を選択し、設定値を設定する点は、依頼元携帯電話１と同様である。しかし、図１１に示すように、代行者は、代行者設定画面Ｓ５に表示される全ての項目について設定を行えるわけではない。図１１の例では、代行者設定画面Ｓ５では、設定欄としては、部数設定欄Ｌ２や、用紙サイズ設定欄Ｌ３のみが表示され、部数や用紙サイズの設定のみが可能となっている。例えば、代行印刷の対象となる印刷用データ（図１１の例では、「配布資料．ＰＤＦ」）は、設定値の変更が不能である。
【００８４】
代行者設定画面Ｓ５で項目の設定値が変更可能とするか否かは、依頼者が依頼元携帯電話１で設定できる。言い換えると、依頼元携帯電話１では、代行印刷依頼用画面Ｓ４における設定欄の設定値を代行者携帯電話２で変更できないようにロックすることができる。そのため、例えば、依頼元携帯電話１の制御ユニット１０は、表示部１４に、設定値が設定されると、設定値をロックするか否かの確認画面（ダイアログ）を代行印刷依頼用画面Ｓ４上に表示させて、設定値をロックするか否かの確認をとってもよい。尚、代行者設定画面Ｓ５で項目の設定値が変更可能であるか否かは、予め定められたものでもよい。即ち、依頼元携帯電話１は、印刷用データのデータ名、代行印刷に関する設定内容、代行取得者を示すデータのうち、いずれか１つ、又は、複数について、代行者携帯電話２で設定変更を行えないように設定値をロックする設定入力を受け付け、代行者携帯電話２は、ロックされた設定値を変更する入力を受け付けない。
【００８５】
又、代行印刷の依頼を受けた者は、「忙しい」、「外出する」といった理由で、代行印刷を他の人に変わって欲しい場合がある。そこで、図１１に示すように、代行者設定画面Ｓ５では、変わって欲しい人の携帯電話に向けて、代行印刷依頼の転送先を設定することができる（詳細は後述）。そして、代行者は、代行印刷の設定を行う（ステップ♯１４）。即ち、代行者携帯電話２は、代行依頼データの内容を変更する入力を受け付け、変更後の代行依頼データを取得部（リーダーライター４）に送信する。
【００８６】
その後、代行者は、代行者携帯電話２をリーダーライター４に翳す（ステップ♯１５）。このとき、代行者携帯電話２は、複合機３のリーダーライター４に向けて、依頼元携帯電話１の識別情報と、代行者携帯電話２の識別情報と、代行印刷の設定内容を示すデータ（代行印刷依頼データ、変更を行っていれば、変更内容）、転送先が有れば転送先を示すデータを送信する（ステップ♯１６）。尚、代行者携帯電話２は、依頼を受けたときに依頼元携帯電話１の識別情報を取得している。
【００８７】
複合機３の制御部８は、依頼元携帯電話１と代行者携帯電話２の識別情報と、記憶部９に記憶された認証情報を比較して、使用者として、依頼者と代行者が登録されているか（依頼者と代行者が共に使用者としての権限を有するか）を確認する（認証する、ステップ♯１７）。
【００８８】
もし、依頼者と代行者がともに使用者として登録されていれば（ステップ♯１７のＹｅｓ）、制御部８は、代行印刷すべき印刷用データが存在するか（複合機３の記憶部９に記憶されているか）を確認する（ステップ♯１８）。もし、印刷用データが存在すれば（ステップ♯１８のＹｅｓ）、制御部８は、代行者携帯電話２から受信したデータの中に、転送先を示すデータがあるか、言い換えると、転送依頼が含まれているかを確認する（ステップ♯１９）。
【００８９】
もし、転送依頼が含まれていなければ（ステップ♯１９のＮｏ）、依頼者と代行者の認証ができたので、制御部８は、印刷用データに基づき、代行印刷の設定内容に応じてエンジン部６０に印刷を行わせる（ステップ♯２０）。即ち、画像形成システム１００は、少なくとも２台の携帯電話と、画像形成装置（例えば、複合機３）を含み、画像形成装置は、認証を行うための認証情報と印刷用データを記憶する記憶部９と、印刷用データに基づき印刷を行うエンジン部６０（給紙部６Ａ、搬送路６Ｂ、画像形成部７Ａ、定着部７Ｂ等）と、使用者を識別するための識別情報を取得する取得部（リーダーライター４）と、記憶部９の認証情報と取得部で取得された識別情報を比較し、使用権限を有するか否かの認証処理を行う認証部（制御部８）と、を含み、携帯電話のうち、代行印刷の依頼元携帯電話１は、代行印刷する印刷用データを示す代行依頼データと、依頼元携帯電話１の識別情報を、携帯電話に送信し、代行依頼データを受信した代行者携帯電話２は、代行依頼データと、依頼元携帯電話１の識別情報と、代行者携帯電話２の識別情報を取得部に送信し、画像形成装置のエンジン部６０は、代行依頼データで示された印刷用データが記憶部９に存在し、取得部で受信した依頼元携帯電話１の識別情報と、代行者携帯電話２の識別情報と、認証情報の比較により、いずれも使用権限を有すると認証できたとき、代行依頼データで示された印刷用データに基づき印刷を行うこととする。
【００９０】
即ち、画像形成システム１００の画像形成装置（例えば、複合機３）は、データの送受信を行うための通信部８３を有し、代行印刷を完了したとき、通信部８３から、依頼元携帯電話１に向けて、代行印刷完了通知を送信する。そして、制御部８は、代行印刷の実行が完了した後、通信部８３から依頼元携帯電話１に向けて代行印刷が完了した旨の通知（代行印刷完了通知。例えば、電子メール）を送信させる（ステップ♯２１）。そして、本制御が完了する（エンド）。
【００９１】
一方、転送依頼が含まれていれば（ステップ♯１９のＹｅｓ）、制御部８は、転送先が登録された使用者の者か（転送を受ける者が複合機３の使用権限を有するか）を確認する（ステップ♯２２）。もし、使用権限を有すれば（ステップ♯２２のＹｅｓ）、制御部８は、リーダーライター４に、代行者携帯電話２に向けて、転送許可の旨のデータを送信させる（ステップ♯２３）。
【００９２】
この転送許可を受け、代行者携帯電話２の制御ユニット２０は、許可された転送先の携帯電話に向けて、依頼元携帯電話１の識別情報と、代行依頼データを送信させる（ステップ♯２４→エンド）。例えば、制御ユニット２０は、電話通信部１５から、依頼元携帯電話１の識別情報と、代行依頼データを、電子メールに含めて送信させる。
【００９３】
そして、転送先の携帯電話は、依頼元携帯電話１や転送元となった代行者携帯電話２と同様のハードウェア構成を有し、代行印刷用のソフトウェアが予め記憶される。そして、識別情報や代行依頼データを受けた転送先の携帯電話は、以後、代行者携帯電話２として機能する。従って、転送先の携帯電話を用いて代行印刷を行うとき、図１０に示すフローが実行される。即ち、画像形成システム１００の代行者携帯電話２は、代行依頼データと、依頼元携帯電話１の識別情報を他の携帯電話に転送し、転送を受けた携帯電話は、代行者携帯電話２として、代行依頼データと、依頼元携帯電話１の識別情報と、自機の識別情報を取得部（リーダーライター４）に送信する。
【００９４】
又、転送を受ける者が複合機３の利用権限を有していなければ（ステップ♯２２のＮｏ）、制御部８は、リーダーライター４に、代行者携帯電話２に向けて、転送不許可の旨のデータを送信させる（ステップ♯２５）。これを受けて、代行者携帯電話２の制御ユニット２０は、表示部に、転送が認められない旨を表示させる（ステップ♯２６）。この後、本制御は終了する（エンド）。あるいは、フローは、ステップ♯１２に戻り、再度設定のやり直しとしてもよい。
【００９５】
一方、依頼者と代行者がともに使用者として登録されていない場合（ステップ♯１７のＮｏ）、代行印刷すべき印刷用データが複合機３に存在しない場合（ステップ♯１８のＮｏ）、制御部８は、代行印刷を行わずに本処理を終了させる（エンドへ）。
【００９６】
このようにして、代行依頼データで示された印刷用データが記憶部９に存在し、取得部（リーダーライター４）で受信した依頼元携帯電話１の識別情報と、代行者携帯電話２の識別情報と、認証情報を比較し、いずれも使用権限を有すると認証できたとき、代行依頼データで示された印刷用データに基づき印刷がなされる。これにより、携帯電話を用いて、ＩＣカードによる認証のように依頼元（依頼者）、依頼先（代行者）が、画像形成装置（例えば、複合機３）の使用権限を有し、印刷用データにアクセス可能かの認証を行うことができる。従って、パスワードを入力せずに済み、なりすましや、パスワード流出に起因する機密漏洩を防ぐことができる。又、例えば、依頼元携帯電話１が代行者携帯電話２に代行依頼データを誤送信しても、画像形成装置では、代行者携帯電話２の認証情報が登録されていなければ、代行印刷できず、誤送信に基づく機密漏洩も生じない。このように、なりすまし、偽造メール、パスワード漏洩、誤送信などに起因した機密漏洩を防ぐことができ、情報セキュリティー上の安全性が高い代行印刷を実現することができる。
【００９７】
又、代行者携帯電話２は、代行依頼データと、依頼元携帯電話１の識別情報を他の携帯電話に転送し、転送を受けた携帯電話は、代行者携帯電話２として、代行依頼データと、依頼元携帯電話１の識別情報と、自機の識別情報を取得部（リーダーライター４）に送信する。これにより、代行印刷を依頼された者が忙しく手が離せなければ、代行印刷を別の人に頼むことができる。従って、再度、代行印刷の依頼（送信）を行わなくても、代行印刷の依頼先を次々に別の人に移してゆくといった使い方ができ、代行印刷の利便性を高めることができる。
【００９８】
又、依頼元携帯電話１は、代行依頼データとして、データ名と、印刷における設定内容を送信する。これにより、代行者が、使用者の認証後、ボックスの呼出や、印刷用データの指定や、印刷形式など、代行印刷の設定を特段行わずとも、直ちに印刷を開始することできる。従って、代行者は、容易に代行印刷実行することができる。又、代行印刷の依頼者（依頼元携帯電話１の使用者）の意志を反映させた代行印刷が行われる。又、代行者携帯電話２は、変更後の代行依頼データを取得部（リーダーライター４）に送信する。これにより、代行印刷の開始前の設定修正を、代行者携帯電話２上で行うことができる。例えば、依頼元携帯電話１が修正後の内容を再度、代行者携帯電話２に送信するといった手間を無くすことができ、利便性が高くなる。
【００９９】
又、代行者携帯電話２は、ロックされた設定値を変更する入力を受け付けない。これにより、データ名、印刷における設定を示すデータ、代行取得者を示すデータについて、依頼元携帯電話１の使用者（依頼元）が所望する設定のまま、代行印刷が実行されるようにすることができる。又、画像形成装置（例えば、複合機３）は、代行印刷を完了したとき、通信部８３から、依頼元携帯電話１に向けて、代行印刷完了通知を送信する。これにより、依頼元携帯電話１の使用者は、代行印刷が完了したことを知ることができる。
【０１００】
又、本発明は、画像形成装置の発明と捉えることもできる。具体的には、画像形成装置は、認証を行うための認証情報と印刷用データを記憶する記憶部９と、印刷用データに基づき印刷を行うエンジン部６０（給紙部６Ａ、搬送路６Ｂ、画像形成部７Ａ、定着部７Ｂ等）と、使用者を識別するための識別情報を取得する取得部（リーダーライター４）と、記憶部９の認証情報と取得部で取得された識別情報を比較し、使用権限を有するか否かの認証処理を行う認証部（制御部８）と、を含み、取得部が、携帯電話と通信を行い、記憶部９に記憶される印刷用データのうち、代行印刷する印刷用データを指し示すデータを含む代行依頼データと、依頼元と依頼先の携帯電話の識別情報を取得したとき、エンジン部６０は、代行依頼データで示された印刷用データが記憶部９に存在し、取得部で受信した依頼元と依頼先の識別情報と、認証情報を比較し、いずれも使用権限を有すると認証できたとき、代行依頼データで示された印刷用データに基づき、印刷を行う。これにより、本発明の画像形成システム１００と同様の効果を得ることができる。
【０１０１】
又、本発明は、携帯電話を依頼元携帯電話１、代行者携帯電話２として機能させるソフトウェア（アプリケーション）と捉えることもできる。具体的には、ソフトウェアは、複数の携帯電話のうち、代行印刷の依頼元携帯電話１に、画像形成装置（例えば、複合機３）の記憶部９に記憶された印刷用データのうち、代行印刷する印刷用データを示す代行依頼データと、依頼元携帯電話１の識別情報を、携帯電話に送信させ、代行依頼データを受信した代行者携帯電話２に、代行印刷依頼を受けたとき、代行依頼データと、依頼元携帯電話１の識別情報と、自機の識別情報を画像形成装置（例えば、複合機３）に送信させる。これにより、本発明の画像形成システム１００と同様の効果を得ることができる。
【０１０２】
他の実施形態について説明する。上記実施形態では、代行印刷の設定では、依頼元携帯電話１や代行者携帯電話２で、用紙サイズや、印刷部数を設定可能であったが、他種の設定項目を設定可能としてもよい。例えば、拡大・縮小や、印刷濃度の設定など、表示部と操作部を使って操作可能としてもよい。
【０１０３】
又、本発明の実施形態を説明したが、本発明の範囲はこれに限定されるものではなく、発明の主旨を逸脱しない範囲で種々の変更を加えて実施することができる。
【産業上の利用可能性】
【０１０４】
本発明は、携帯電話と画像形成装置からなる画像形成システムや、画像形成装置に利用することができる。
【符号の説明】
【０１０５】
１      依頼元携帯電話（携帯電話）    ２      代行者携帯電話（携帯電話）
３      複合機（画像形成装置）        ４      リーダーライター（取得部）
６０    エンジン部                    ６Ａ    給紙部（エンジン部６０）
６Ｂ    搬送路（エンジン部６０）      ７Ａ    画像形成部（エンジン部６０）
７Ｂ    定着部（エンジン部６０）      ８      制御部（認証部）
８３    通信部                        ９      記憶部
１００  画像形成システム
【図１】
0005611074.tif 000002
【図２】
0005611074.tif 000003
【図３】
0005611074.tif 000004
【図４】
0005611074.tif 000005
【図５】
0005611074.tif 000006
【図８】
0005611074.tif 000007
【図１０】
0005611074.tif 000008
【図６】
0005611074.tif 000009
【図７】
0005611074.tif 000010
【図９】
0005611074.tif 000011
【図１１】
0005611074.tif 000012